(57)【要約】      （修正有）【課題】運送時に取り外され、宛先に組み立てられるため、運送のコストを大幅に低減し、市場競争力を高めることができる迅速着脱可能な刀を提供する。【解決手段】刀は、刀身部１、刀の柄部及び刀身部１と刀の柄部とを接続する接続部材を含み、はばき、鍔及び縁をさらに含み、刀身部１の左端に茎１１が設けられ、刀身部１の本体と茎１１との接続部に段差部１２が設けられ、はばきが段差部１２に外嵌され、縁と鍔が、左右に平行に設けられ、かつそれぞれ茎１１に外嵌され、刀の柄部が、柄下地と、柄下地の入口穴の右端に固定された内層下地とを含み、茎１１の左端には、目釘穴１１１が設けられ、茎１１の左端は、内層下地を貫通してから柄下地の入口穴に入る。【選択図】図１
0003233240.tif 000002
【実用新案登録請求の範囲】
【請求項１】
接続部材によって着脱可能に接続された刀身部（１）及び刀の柄部（５）を含む
ことを特徴とする迅速着脱可能な刀。
【請求項２】
はばき（２）、鍔（３）及び縁（４）をさらに含み、前記刀身部（１）の左端に茎（１１）が設けられ、前記刀身部（１）の本体と茎（１１）との接続部に段差部（１２）が設けられ、前記はばき（２）が段差部（１２）に外嵌され、前記縁（４）と鍔（３）が、左右に平行に設けられ、かつそれぞれ茎（１１）に外嵌され、前記刀の柄部（５）が、柄下地（５１）と、柄下地（５１）の入口穴の右端に固定された内層下地（５２）とを含み、前記茎（１１）の左端には、目釘穴（１１１）が設けられ、前記茎（１１）の左端は、内層下地（５２）を貫通してから柄下地（５１）の入口穴に入る
請求項１に記載の迅速着脱可能な刀。
【請求項３】
前記鍔（３）の中央部に茎（１１）が貫通される茎穴（３１）が設けられ、前記鍔（３）の左右両側に、それぞれ縁（４）及びはばき（２）が挿入される第１の挿入口（３２）及び第２の挿入口（３３）が設けられる
請求項２に記載の迅速着脱可能な刀。
【請求項４】
前記鍔（３）の外縁部に複数の透かし彫り口（３４）が周設されている
請求項３に記載の迅速着脱可能な刀。
【請求項５】
前記縁（４）は、中央部に茎（１１）が貫通される挿通孔（４１１）が設けられる天井板（４１）と、天井板（４１）の左側に固定された縁金（４２）とを含む
請求項２に記載の迅速着脱可能な刀。
【請求項６】
前記接続部材は、柄下地（５１）の左端に係着固定され、内壁の間に長尺体（６１）が設けられている頭部固定リング（６）と、目釘穴（１１１）を貫通してから長尺体（６１）に結束されて固定された束ね紐とを含む
請求項２ないし５のいずれかに記載の迅速着脱可能な刀。
【請求項７】
前記頭部固定リング（６）の右側外縁部にリング用環状係止溝（６２）が設けられている
請求項６に記載の迅速着脱可能な刀。
【請求項８】
前記接続部材は、右端が茎（１１）の左端に螺合され、左端が柄下地（５１）の内部に位置する接続ロッド（７）と、柄下地（５１）の左端に係着固定され、中央部にシート貫通孔（８１）が設けられている頭部固定シート（８）と、右端がシート貫通孔（８１）を貫通してから接続ロッド（７）の左端に螺合されるボルト（９）とを含む
請求項２ないし５のいずれかに記載の迅速着脱可能な刀。
【請求項９】
前記接続ロッド（７）の右端の中央部に切り欠き（７１）が設けられて、茎（１１）の左端の外側に挟持されたＵ字形クリップが形成されており、前記Ｕ字形クリップに目釘穴（１１１）に対応するロッド貫通孔（７２）が設けられ、前記接続ロッド（７）の左端の内部にロッドナット（７３）が取り付けられている
請求項８に記載の迅速着脱可能な刀。
【請求項１０】
前記頭部固定シート（８）の右側外縁部にシート用環状係止溝（８２）が設けられている
請求項８に記載の迅速着脱可能な刀。
【考案の詳細な説明】
【技術分野】
【０００１】
本考案は、刀の技術分野に関し、特に迅速着脱可能な刀の技術分野に関する。
【背景技術】
【０００２】
従来の刀は、その刀身部と刀の柄部とが一般的に一体に設計されているため、特に輸出運送時に、占有空間が大きく、運送のコストが高く、これらの問題を早急に解決しなくてはならない。
【考案の概要】
【考案が解決しようとする課題】
【０００３】
本考案は、従来技術における問題を解決し、刀身部及び刀の柄部が運送時に取り外され、宛先に組み立てられるため、運送のコストを大幅に低減し、市場競争力を高めることができる迅速着脱可能な刀を提供することを目的とする。
【課題を解決するための手段】
【０００４】
上記目的を達成するために、本考案は、接続部材によって着脱可能に接続された刀身部及び刀の柄部を含む、迅速着脱可能な刀を提供する。
【０００５】
好ましくは、はばき、鍔及び縁をさらに含み、前記刀身部の左端に茎が設けられ、前記刀身部の本体と茎との接続部に段差部が設けられ、前記はばきが段差部に外嵌され、前記縁と鍔が、左右に平行に設けられ、かつそれぞれ茎に外嵌され、前記刀の柄部が、柄下地と、柄下地の入口穴の右端に固定された内層下地とを含み、前記茎の左端には、目釘穴が設けられ、前記茎の左端は、内層下地を貫通してから柄下地の入口穴に入る。
【０００６】
好ましくは、前記鍔の中央部に茎が貫通される茎穴が設けられ、前記鍔の左右両側に、それぞれ縁及びはばきが挿入される第１の挿入口及び第２の挿入口が設けられる。
【０００７】
好ましくは、前記鍔の外縁部に複数の透かし彫り口が周設されている。
【０００８】
好ましくは、前記縁は、中央部に茎が貫通される挿通孔が設けられる天井板と、天井板の左側に固定された縁金とを含む。
【０００９】
好ましくは、前記接続部材は、柄下地の左端に係着固定され、内壁の間に長尺体が設けられている頭部固定リングと、目釘穴を貫通してから長尺体に結束されて固定された束ね紐とを含む。
【００１０】
好ましくは、前記頭部固定リングの右側外縁部にリング用環状係止溝が設けられている。
【００１１】
好ましくは、前記接続部材は、右端が茎の左端に螺合され、左端が柄下地の内部に位置する接続ロッドと、柄下地の左端に係着固定され、中央部にシート貫通孔が設けられている頭部固定シートと、右端がシート貫通孔を貫通してから接続ロッドの左端に螺合されるボルトとを含む。
【００１２】
好ましくは、前記接続ロッドの右端の中央部に切り欠きが設けられて、茎の左端の外側に挟持されたＵ字形クリップが形成されており、前記Ｕ字形クリップには、目釘穴に対応するロッド貫通孔が設けられ、前記接続ロッドの左端の内部にロッドナットが取り付けられている。
【００１３】
好ましくは、前記頭部固定シートの右側外縁部にシート用環状係止溝が設けられている。
【考案の効果】
【００１４】
本考案は、一体に設けられた刀身部と刀の柄部を着脱可能に接続される態様に変更することにより、運送時に取り外され、宛先に組み立てられるため、運送のコストを大幅に低減し、市場競争力を高めることができ、刀身部及び刀の柄部は、束ね紐及び頭部固定リングにより結束固定されてもよく、接続ロッド、ボルト及び頭部固定シートにより螺合されてもよく、構造が簡単で、迅速に取り付け可能で、コストが低く、内層下地を柄下地の内部に固定することにより、接続の安定性を大幅に高め、刀身部の使用時の揺れを回避する。
【００１５】
本考案の特徴及び利点は、実施例により図面を参照しながら詳細に説明する。
【図面の簡単な説明】
【００１６】
【図１】本考案に係る迅速着脱可能な刀の刀身部の正面図である。
【図２】本考案に係る迅速着脱可能な刀のはばきの正面図である。
【図３】本考案に係る迅速着脱可能な刀の鍔の右側面図である。
【図４】本考案に係る迅速着脱可能な刀の鍔の左側面図である。
【図５】本考案に係る迅速着脱可能な刀の縁の左側面図である。
【図６】本考案に係る迅速着脱可能な刀の刀身部、はばき、鍔及び縁の取り付けの概略図である。
【図７】本考案に係る迅速着脱可能な刀の刀の柄部の正面図である。
【図８】本考案に係る迅速着脱可能な刀の刀の柄部の右側面図である。
【図９】本考案に係る迅速着脱可能な刀の頭部固定リングの右側面図である。
【図１０】実施例１の正面図である。
【図１１】本考案に係る迅速着脱可能な刀の接続ロッドの正面図である。
【図１２】本考案に係る迅速着脱可能な刀の接続ロッドの上面図である。
【図１３】本考案に係る迅速着脱可能な刀の頭部固定シートの右側面図である。
【図１４】本考案に係る迅速着脱可能な刀の刀身部、はばき、鍔、縁及び接続ロッドの取り付けの概略図である。
【図１５】実施例２の正面図である。
【考案を実施するための形態】
【実施例１】
【００１７】
図１〜図１０を参照すると、本考案に係る迅速着脱可能な刀は、接続部材によって着脱可能に接続された刀身部１及び刀の柄部５を含む。
【００１８】
はばき２、鍔３及び縁４をさらに含み、前記刀身部１の左端に茎１１が設けられ、前記刀身部１の本体と茎１１との接続部に段差部１２が設けられ、前記はばき２が段差部１２に外嵌され、前記縁４と鍔３が、左右に平行に設けられ、かつそれぞれ茎１１に外嵌され、前記刀の柄部５が、柄下地５１と、柄下地５１の入口穴の右端に固定された内層下地５２とを含み、前記茎１１の左端には、目釘穴１１１が設けられ、前記茎１１の左端は、内層下地５２を貫通してから柄下地５１の入口穴に入る。
【００１９】
前記鍔３の中央部に茎１１が貫通される茎穴３１が設けられ、前記鍔３の左右両側に、それぞれ縁４及びはばき２が挿入される第１の挿入口３２及び第２の挿入口３３が設けられる。
【００２０】
前記鍔３の外縁部に複数の透かし彫り口３４が周設されている。
【００２１】
前記縁４は、中央部に茎１１が貫通される挿通孔４１１が設けられる天井板４１と、天井板４１の左側に固定された縁金４２とを含む。
【００２２】
前記接続部材は、柄下地５１の左端に係着固定され、内壁の間に長尺体６１が設けられている頭部固定リング６と、目釘穴１１１を貫通してから長尺体６１に結束されて固定された束ね紐とを含む。
【００２３】
前記頭部固定リング６の右側外縁部にリング用環状係止溝６２が設けられている。
【００２４】
本考案の作業手順：
運送時に、刀の各部品をそれぞれ取り外し、かつ順に包装箱に入れて、宛先に運送した後に組み立てる。組み立てる場合に、まず、はばき２を刀身部１の段差部１２に嵌設して、鍔３及び縁４を順に茎１１に外嵌し、かつはばき２及び縁４を鍔３の第１の挿入口３２及び第２の挿入口３３内にそれぞれ挿入する。次に、束ね紐の一端を目釘穴１１１に通して、茎１１の左端及び束ね紐を内層下地５２にそれぞれ通す。その後、頭部固定リング６を柄下地５１の左端に係着して、束ね紐を長尺体６１に巻いて結束固定することにより、刀の柄部５と刀身部１との接続を実現する。
【実施例２】
【００２５】
図１〜図８及び図１１〜図１５を参照すると、本考案に係る迅速着脱可能な刀は、接続部材によって着脱可能に接続された刀身部１及び刀の柄部５を含む。
【００２６】
はばき２、鍔３及び縁４をさらに含み、前記刀身部１の左端に茎１１が設けられ、前記刀身部１の本体と茎１１との接続部に段差部１２が設けられ、前記はばき２が段差部１２に外嵌され、前記縁４と鍔３が、左右に平行に設けられ、かつそれぞれ茎１１に外嵌され、前記刀の柄部５が、柄下地５１と、柄下地５１の入口穴の右端に固定された内層下地５２とを含み、前記茎１１の左端は、目釘穴１１１が設けられ、内層下地５２を貫通してから柄下地５１の入口穴に入る。
【００２７】
前記鍔３の中央部に茎１１が貫通される茎穴３１が設けられ、前記鍔３の左右両側に、それぞれ縁４及びはばき２が挿入される第１の挿入口３２及び第２の挿入口３３が設けられる。
【００２８】
前記鍔３の外縁部に複数の透かし彫り口３４が周設されている。
【００２９】
前記縁４は、中央部に茎１１が貫通される挿通孔４１１が設けられる天井板４１と、天井板４１の左側に固定された縁金４２とを含む。
【００３０】
前記接続部材は、右端が茎１１の左端に螺合され、左端が柄下地５１の内部に位置する接続ロッド７と、柄下地５１の左端に係着固定され、中央部にシート貫通孔８１が設けられている頭部固定シート８と、右端がシート貫通孔８１を貫通してから接続ロッド７の左端に螺合されるボルト９とを含む。
【００３１】
前記接続ロッド７の右端の中央部に切り欠き７１が設けられて、茎１１の左端の外側に挟持されたＵ字形クリップが形成されており、前記Ｕ字形クリップには、目釘穴１１１に対応するロッド貫通孔７２が設けられ、前記接続ロッド７の左端の内部にロッドナット７３が取り付けられている。
【００３２】
前記頭部固定シート８の右側外縁部にシート用環状係止溝８２が設けられている。
【００３３】
本考案の作業手順：
運送時に、刀の各部品をそれぞれ取り外し、かつ順に包装箱に入れて、宛先に運送した後に組み立てる。組み立てる場合に、まず、はばき２を刀身部１の段差部１２に嵌設して、鍔３及び縁４を順に茎１１に外嵌し、かつはばき２及び縁４を鍔３の第１の挿入口３２及び第２の挿入口３３内にそれぞれ挿入する。次に、接続ロッド７の右端のＵ字形クリップを茎１１の左端に挟持し、かつ締め具によりＵ字形クリップ及び茎１１を螺合する。その後、接続ロッド７の左端を内層下地５２に通し、頭部固定シート８を柄下地５１の左端に係着して、ボルト９により頭部固定シート８及び接続ロッド７を螺合することにより、刀の柄部５と刀身部１との接続を実現する。
【００３４】
上記実施例は、本考案を限定するものではなく、本考案を説明するものであり、本考案を簡単に変更した任意の形態がいずれも本考案の保護範囲に属する。
【符号の説明】
【００３５】
１  刀身部
１１  茎
１１１  目釘穴
１２  段差部
２  はばき
３  鍔
３１  茎穴
３２  第１の挿入口
３３  第２の挿入口
３４  透かし彫り口
４  縁
４１  天井板
４１１  挿通孔
４２  縁金
５  刀の柄部
５１  柄下地
５２  内層下地
６  頭部固定リング
６１長尺体
６２  リング用環状係止溝
７  接続ロッド
７１  切り欠き
７２  ロッド貫通孔
７３  ロッドナット
８  頭部固定シート
８１  シート貫通孔
８２  シート用環状係止溝
９  ボルト
【図１】
0003233240.tif 000003
【図２】
0003233240.tif 000004
【図３】
0003233240.tif 000005
【図４】
0003233240.tif 000006
【図５】
0003233240.tif 000007
【図６】
0003233240.tif 000008
【図７】
0003233240.tif 000009
【図８】
0003233240.tif 000010
【図９】
0003233240.tif 000011
【図１０】
0003233240.tif 000012
【図１１】
0003233240.tif 000013
【図１２】
0003233240.tif 000014
【図１３】
0003233240.tif 000015
【図１４】
0003233240.tif 000016
【図１５】
0003233240.tif 000017
【手続補正書】
【提出日】令和3年5月27日(2021.5.27)
【手続補正１】
【補正対象書類名】実用新案登録請求の範囲
【補正対象項目名】全文
【補正方法】変更
【補正の内容】
【実用新案登録請求の範囲】
【請求項１】
刀身部（１）、刀の柄部（５）及び前記刀身部（１）と前記刀の柄部（５）とを接続する接続部材を含む
ことを特徴とする迅速着脱可能な刀。
【請求項２】
はばき（２）、鍔（３）及び縁（４）をさらに含み、前記刀身部（１）の左端に茎（１１）が設けられ、前記刀身部（１）の本体と茎（１１）との接続部に段差部（１２）が設けられ、前記はばき（２）が段差部（１２）に外嵌され、前記縁（４）と鍔（３）が、左右に平行に設けられ、かつそれぞれ茎（１１）に外嵌され、前記刀の柄部（５）が、柄下地（５１）と、柄下地（５１）の入口穴の右端に固定された内層下地（５２）とを含み、前記茎（１１）の左端には、目釘穴（１１１）が設けられ、前記茎（１１）の左端は、内層下地（５２）を貫通してから柄下地（５１）の入口穴に入る
請求項１に記載の迅速着脱可能な刀。
【請求項３】
前記鍔（３）の中央部に茎（１１）が貫通される茎穴（３１）が設けられ、前記鍔（３）の左右両側に、それぞれ縁（４）及びはばき（２）が挿入される第１の挿入口（３２）及び第２の挿入口（３３）が設けられる
請求項２に記載の迅速着脱可能な刀。
【請求項４】
前記鍔（３）の外縁部に複数の透かし彫り口（３４）が周設されている
請求項３に記載の迅速着脱可能な刀。
【請求項５】
前記縁（４）は、中央部に茎（１１）が貫通される挿通孔（４１１）が設けられる天井板（４１）と、天井板（４１）の左側に固定された縁金（４２）とを含む
請求項２に記載の迅速着脱可能な刀。
【請求項６】
前記接続部材は、柄下地（５１）の左端に係着固定され、内壁の間に長尺体（６１）が設けられている頭部固定リング（６）と、目釘穴（１１１）を貫通してから長尺体（６１）に結束されて固定された束ね紐とを含む
請求項２ないし５のいずれかに記載の迅速着脱可能な刀。
【請求項７】
前記頭部固定リング（６）の右側外縁部にリング用環状係止溝（６２）が設けられている
請求項６に記載の迅速着脱可能な刀。
【請求項８】
前記接続部材は、右端が茎（１１）の左端に螺合され、左端が柄下地（５１）の内部に位置する接続ロッド（７）と、柄下地（５１）の左端に係着固定され、中央部にシート貫通孔（８１）が設けられている頭部固定シート（８）と、右端がシート貫通孔（８１）を貫通してから接続ロッド（７）の左端に螺合されるボルト（９）とを含む
請求項２ないし５のいずれかに記載の迅速着脱可能な刀。
【請求項９】
前記接続ロッド（７）の右端の中央部に切り欠き（７１）が設けられて、茎（１１）の左端の外側に挟持されたＵ字形クリップが形成されており、前記Ｕ字形クリップに目釘穴（１１１）に対応するロッド貫通孔（７２）が設けられ、前記接続ロッド（７）の左端の内部にロッドナット（７３）が取り付けられている
請求項８に記載の迅速着脱可能な刀。
【請求項１０】
前記頭部固定シート（８）の右側外縁部にシート用環状係止溝（８２）が設けられている
請求項８に記載の迅速着脱可能な刀。